【手続補正書】
【提出日】平成25年10月28日(2013.10.28)
【手続補正１】
【補正対象書類名】明細書
【補正対象項目名】００３９
【補正方法】変更
【補正の内容】
【００３９】
第４グループ（ｄ）は、１０４〜６００ｇ／ｍｏｌの範囲に分子量を有するジカルボン酸、および／またはそれらの無水物を包含する。好ましいジカルボン酸およびそれらの無水物は、フタル酸、無水フタル酸、イソフタル酸、テトラヒドロフタル酸、無水テトラヒドロフタル酸、ヘキサヒドロフタル酸、無水ヘキサヒドロフタル酸、シクロヘキサンジカルボン酸、無水マレイン酸、フマル酸、マロン酸、コハク酸、無水コハク酸、グルタル酸、アジピン酸、ピメリン酸、スベリン酸、セバシン酸、ドデカン二酸、第６グループ（ｆ）で挙げられているような脂肪酸の水素化二量体からなる群から選択される。
【手続補正２】
【補正対象書類名】明細書
【補正対象項目名】００４０
【補正方法】変更
【補正の内容】
【００４０】
第５グループ（ｅ）は、トリメリット酸または無水トリメリット酸を包含する。
【手続補正３】
【補正対象書類名】明細書
【補正対象項目名】０１２８
【補正方法】変更
【補正の内容】
【０１２８】
本発明を具体化する、ある種の特定の構造を示し記載したが、本発明の基本的な概念の意図および範囲から逸脱することなく、その一部を多様に修正および再変更できること、およびその修正および再変更が、本明細書で示し記載した特定の形態に限定されないことは、当業者には明らかであろう。
本発明の好ましい態様は、以下を包含する。
〔１〕１種以上のポリウレタンアクリレート（ｉ）に基づく錫不含有放射線硬化性水性分散体であって、前記した１種以上のポリウレタンアクリレート（ｉ）が、
Ａ）少なくとも１個のイソシアネート反応性基と、フリーラジカル重合を起こし得る少なくとも１個の不飽和基とを含有する１種以上の化合物；
Ｂ）成分Ａ）とは異なる、少なくとも１個のイソシアネート反応性基を含有する、１種以上の化合物；
Ｃ）少なくとも１個のイソシアネート反応性基と、親水化作用を有する少なくとも１個の基とを含有する１種以上の化合物；および
Ｄ）１種以上の有機ポリイソシアネート；を、
Ｆ）１種以上のビスマス（ＩＩＩ）塩；および
Ｇ）２．５未満のｐＫａを有する酸
の存在下で反応させることによって調製される、錫不含有放射線硬化性水性分散体。
〔２〕前記した１種以上のポリウレタンアクリレート（ｉ）が、成分Ａ）、Ｂ）、Ｃ）、Ｄ）およびＥ）を成分Ｆ）およびＧ）の存在下で反応させることによって更なる成分Ｅ）から調製され、成分Ｅ）が成分Ａ）、Ｂ）、Ｃ）およびＤ）とは異なり、少なくとも１個のイソシアネート反応性基を含有する、上記〔１〕に記載の錫不含有放射線硬化性水性分散体。
〔３〕フリーラジカル重合を起こし得る少なくとも１個の基を含有する反応性希釈剤を成分（ｉｉ）として更に含んでなる、上記〔１〕に記載の錫不含有放射線硬化性水性分散体。
〔４〕成分Ｆ）が１種以上のカルボン酸ビスマス（ＩＩＩ）を含んでなる、上記〔１〕に記載の錫不含有放射線硬化性水性分散体。
〔５〕成分Ｆ）がネオデカン酸ビスマス（ＩＩＩ）、２−エチルヘキサン酸ビスマス（ＩＩＩ）、クエン酸ビスマス（ＩＩＩ）およびそれらの混合物からなる群から選択される、上記〔１〕に記載の錫不含有放射線硬化性水性分散体。
〔６〕成分Ｇ）がリン酸ジ−（ｎ−ブチル）エステル、メタンスルホン酸、ｐ−トルエンスルホン酸およびそれらの混合物からなる群から選択される、上記〔１〕に記載の錫不含有放射線硬化性水性分散体。
〔７〕成分Ｆ）が、前記した錫不含有放射線硬化性水性分散体中に、放射線硬化性ポリウレタン水性分散体（ｉ）の固形分に基づいて１〜３０，０００ｐｐｍの範囲の量で存在し、成分Ｇ）が、前記した錫不含有放射線硬化性水性分散体中に、使用する成分Ｆ）の量に基づいて１０〜３００ｍｏｌ％の範囲の量で存在する、上記〔１〕に記載の錫不含有放射線硬化性水性分散体。
〔８〕成分Ｇ）が、前記した錫不含有放射線硬化性水性分散体中に、使用する成分Ｆ）の量に基づいて１００ｍｏｌ％の量で存在する、上記〔１〕に記載の錫不含有放射線硬化性水性分散体。
〔９〕前記した１種以上のポリウレタンアクリレート（ｉ）が１０３〜１０６ｇ／ｍｏｌの範囲に重量平均分子量Ｍｗを有する、上記〔１〕に記載の錫不含有放射線硬化性水性分散体。
〔１０〕成分Ａ）が、ヒドロキシ官能化された、ポリエステル（メタ）アクリレート、ポリエーテル（メタ）アクリレート、ポリエーテルエステル（メタ）アクリレート、エポキシ（メタ）アクリレート、２−ヒドロキシエチル（メタ）アクリレート、２−ヒドロキシプロピル（メタ）アクリレート、ペンタエリスリトールトリアクリレート、ジペンタエリスリトールペンタアクリレート、およびそれらの混合物からなる群から選択される、上記〔１〕に記載の錫不含有放射線硬化性水性分散体。
〔１１〕成分Ｄ）のイソシアネート基と、成分Ａ）、Ｂ）およびＣ）のイソシアネート反応性基とのモル比が、０．８：１〜２．５：１の範囲内である、上記〔１〕に記載の錫不含有放射線硬化性水性分散体。
〔１２〕（１）成分Ａ）、Ｂ）、Ｃ）およびＤ）を、成分Ｆ）およびＧ）の存在下、１以上の反応段階で反応させてポリウレタンアクリレート（ｉ）を得る工程であって、成分Ａ）、Ｂ）、Ｃ）およびＤ）の反応前、反応中または反応後に中和剤を添加して、得られるポリウレタンアクリレートの分散に必要なイオン性基を形成する工程；および
（２）水をポリウレタンアクリレートに添加するかまたは水を含んだ容器（an aqueous reservoir）にポリウレタンアクリレートを移すことによって、分散体を形成する工程
を含む、上記〔１〕に記載の錫不含有放射線硬化性水性分散体の製造方法。
〔１３〕上記〔１〕に記載の錫不含有放射線硬化性水性分散体から製造された被覆組成物。
〔１４〕ラッカーまたは接着剤である、上記〔１３〕に記載の被覆組成物。
〔１５〕アミノ樹脂系架橋剤、ブロックトポリイソシアネート、非ブロックトポリイソシアネート、親水化ポリイソシアネート、ポリアジリジン、ポリカルボジイミド、１種以上の更なる分散体、またはそれらの組み合わせを更に含んでなる、上記〔１３〕に記載の被覆組成物。
〔１６〕上記〔１５〕に記載の被覆組成物で被覆された基材。
【手続補正４】
【補正対象書類名】特許請求の範囲
【補正対象項目名】全文
【補正方法】変更
【補正の内容】
【特許請求の範囲】
【請求項１】
１種以上のポリウレタンアクリレート（ｉ）に基づく錫不含有放射線硬化性水性分散体であって、前記した１種以上のポリウレタンアクリレート（ｉ）が、
Ａ）少なくとも１個のイソシアネート反応性基と、フリーラジカル重合を起こし得る少なくとも１個の不飽和基とを含有する１種以上の化合物；
Ｂ）成分Ａ）とは異なる、少なくとも１個のイソシアネート反応性基を含有する、１種以上の化合物；
Ｃ）少なくとも１個のイソシアネート反応性基と、親水化作用を有する少なくとも１個の基とを含有する１種以上の化合物；および
Ｄ）１種以上の有機ポリイソシアネート；を、
Ｆ）１種以上のビスマス（ＩＩＩ）塩；および
Ｇ）２．５未満のｐＫａを有する酸
の存在下で反応させることによって調製される、錫不含有放射線硬化性水性分散体。
【請求項２】
（１）成分Ａ）、Ｂ）、Ｃ）およびＤ）を、成分Ｆ）およびＧ）の存在下、１以上の反応段階で反応させてポリウレタンアクリレート（ｉ）を得る工程であって、成分Ａ）、Ｂ）、Ｃ）およびＤ）の反応前、反応中または反応後に中和剤を添加して、得られたポリウレタンアクリレートの分散に必要なイオン性基を形成する工程；および
（２）水をポリウレタンアクリレートに添加するかまたは水を含んだ容器（an aqueous reservoir）にポリウレタンアクリレートを移すことによって、分散体を形成する工程
を含む、請求項１に記載の錫不含有放射線硬化性水性分散体の製造方法。
【請求項３】
請求項１に記載の錫不含有放射線硬化性水性分散体から製造された被覆組成物。
【請求項４】
アミノ樹脂系架橋剤、ブロックトポリイソシアネート、非ブロックトポリイソシアネート、親水化ポリイソシアネート、ポリアジリジン、ポリカルボジイミド、１種以上の更なる分散体、またはそれらの組み合わせを更に含んでなる、請求項３に記載の被覆組成物。
【請求項５】
請求項４に記載の被覆組成物で被覆された基材。